(57)【要約】【課題】必要に応じたピストン冷却を可能とし、それにより内燃エンジンの出力容量を増大させる。【解決手段】内燃エンジン（１）は、ピストン（３）のクーリングチャンネル（５）に連通する入口開口（６）に設けられ、第１噴射ノズル（９）からの冷却オイルジェット（１１）をクーリングチャンネル（５）に案内するじょうご状要素（１０）を備える。内燃エンジン（１）は、さらに、じょうご状要素（１０）に向けられた第２噴射ノズル（１２）を備えており、じょうご状要素（１０）は、第２噴射ノズル（１２）からの冷却オイルジェット（１３）をクーリングチャンネル（５）に案内できるように構成されている。【選択図】図１
2018071546.tif 000002
【特許請求の範囲】
【請求項１】
ピストンヘッド（４）の領域に全周の少なくとも一部を延びるクーリングチャンネル（５）が形成されたピストン（３）と、
上記クーリングチャンネル（５）に連通する入口開口（６）と、
クランクケース（８）の領域に設けられ、対応する上記入口開口（６）内に冷却オイル（７）を噴射するための第１噴射ノズル（９）と、
上記入口開口（６）に設けられ、上記第１噴射ノズル（９）からの第１冷却オイルジェット（１１）を集めて上記クーリングチャンネル（５）内に導入するためのじょうご状要素（１０）とを備えた内燃エンジン（１）であって、
上記クランクケース（８）に設けられ、上記じょうご状要素（１０）に向けられた第２噴射ノズル（１２）をさらに備え、
上記じょうご状要素（１０）は、上記第１噴射ノズル（９）からの上記第１冷却オイルジェット（１１）および上記第２噴射ノズル（１２）からの第２冷却オイルジェット（１３）を集めて上記クーリングチャンネル（５）内に導入することができるように構成されている
ことを特徴とする内燃エンジン。
【請求項２】
請求項１において、
上記第１および第２噴射ノズル（９，１２）は、上記第１および第２冷却オイルジェット（１１，１３）が、対応する上記じょうご状要素（１０）に互いに異なるピストン半径（Ｒ1，Ｒ2）において達するように構成されている
ことを特徴とする内燃エンジン。
【請求項３】
請求項１または２において、
上記クーリングチャンネル（５）は、クーリングチャンネルカバー（１４）によって覆われている
ことを特徴とする内燃エンジン。
【請求項４】
請求項１または２において、
上記クーリングチャンネル（５）は、上側ピストン部分と下側ピストン部分とを組み立てることで形成されている
ことを特徴とする内燃エンジン。
【請求項５】
請求項４において、
上記じょうご状要素（１０）は、上記クーリングチャンネル（５）の凹部にピストン軸方向において保持されている
ことを特徴とする内燃エンジン。
【請求項６】
請求項５において、
上記凹部は、ドリル加工、鍛造、または鋳造によって形成されている
ことを特徴とする内燃エンジン。
【請求項７】
請求項３において、
上記じょうご状要素（１０）は、該じょうご状要素（１０）を上記クーリングチャンネルカバー（１４）に保持するための保持部（１５）を有する
ことを特徴とする内燃エンジン。
【請求項８】
請求項７において、
上記保持部（１５）は、上記クーリングチャンネルカバー（１４）を挟んでクランプするクランプフィンガ（１６）を有する
ことを特徴とする内燃エンジン。
【請求項９】
請求項１〜８のいずれか１項において、
上記第１および第２噴射ノズル（９，１２）は、上記第１および第２冷却オイルジェット（１１，１３）が互いに対して斜めに延びるように向けられている
ことを特徴とする内燃エンジン。
【請求項１０】
請求項１〜９のいずれか１項において、
上記じょうご状要素（１０）は、非対称じょうごボウル（１７）を有する
ことを特徴とする内燃エンジン。
【請求項１１】
請求項１〜１０のいずれか１項において、
上記じょうご状要素（１０）は、金属から構成され、
および／または、
上記ピストン（３）は、鋼製ピストンまたはアルミピストンとして構成されている
ことを特徴とする内燃エンジン。
【請求項１２】
請求項１〜１１のいずれか１項において、
それぞれに上記じょうご状要素（１０）が設けられた２つの上記入口開口（６，６’）と、
対応する上記入口開口（６，６’）内に上記冷却オイル（７）を噴射するための全部で４つの上記噴射ノズル（９，１２）、すなわち一方の上記入口開口（６）に向けられた２つの上記噴射ノズル（９，１２）および他方の上記入口開口（６’）に向けられた２つの上記噴射ノズル（９，１２）とを備える
ことを特徴とする内燃エンジン。
【請求項１３】
請求項１〜１２のいずれか１項に記載の内燃エンジン（１）を作動させる方法であって、
部分負荷運転時には、上記第１噴射ノズル（９）のみによって、対応する上記ピストン（３）の対応する上記じょうご状要素（１０）内に冷却オイルジェット（１１）を噴射させ、
全負荷運転時には、上記第１噴射ノズル（９）および上記第２噴射ノズル（１２）によって、対応する上記ピストン（３）の同じ上記じょうご状要素（１０）内に冷却オイルジェット（１１，１３）を噴射させる
ことを特徴とする方法。
【発明の詳細な説明】
【技術分野】
【０００１】
本発明は、請求項１の前提部に係る、ピストンヘッドに全周の少なくとも一部を延びるクーリングチャンネルが形成されたピストンを備えた内燃エンジンに関する。本発明は、また、そのような内燃エンジンを作動させる方法に関する。
【背景技術】
【０００２】
自動車製造業では、一般的なタイプの内燃エンジンが、広く知られると共に既に様々に利用されている。ここで、ピストンの、したがって内燃エンジンの出力を増大させることができるように、当該ピストンは、例えば燃焼ボウルやトップランドといった熱的負荷の高い領域において冷却される。この目的のために、一般的には、ピストンヘッドにクーリングチャンネルが設けられる。このクーリングチャンネル内には、燃焼ボウルまたはトップランドからピストン下側の低温領域への優れた熱輸送を生み出す冷却媒体が設けられる。クーリングチャンネルが閉じたものである場合には、冷却状態では固体となる一方、作動状態では液体になるナトリウム／カリウム合金が使用されることが多い。クーリングチャンネルが開いたものである場合には、一般にはその内部に冷却オイルが導入される。この場合、そのようなクーリングチャンネルは、少なくとも１つのオイル流入口および少なくとも１つのオイル流出口を有し、これらを介して冷却オイルが当該クーリングチャンネルに供給されまたは当該クーリングチャンネルから排出される。
【０００３】
特許文献１には、冷却オイルをピストンのクーリングチャンネルに供給するためのじょうご状要素を備えた一般的なタイプの内燃エンジンが開示されている。当該クーリングチャンネルは、カバープレートによって閉じられている。また、当該じょうご状要素は、クーリングチャンネルに対向する上側筒状パイプ部分と、その下方に隣接する下側開口じょうご状部分と、当該パイプ部分の上側に設けられ、じょうご状要素の縦軸の両側に配置されかつ径方向外側を向いた２つのチャンネルを有するディフューザとを備える。このディフューザは、径方向外側を向いた２つのチャンネルの間に、軸方向中央チャンネルを有する。当該中央チャンネルは、パイプ部分を流通する冷却オイルの一部を、じょうご状要素と逆側のクーリングチャンネルの上側境界部に案内し、それによりピストンの当該領域を冷却する。
【先行技術文献】
【特許文献】
【０００４】
【特許文献１】独国特許出願公開第１０２００９０５６９２２号明細書
【発明の概要】
【発明が解決しようとする課題】
【０００５】
ここで、閉じたクーリングチャンネルを有するピストンの欠点は、当該閉じたクーリングチャンネル内に集められる冷却媒体の結果として、冷却性能の調節可能性が限られることである。これに対し、開いたクーリングチャンネルを有するピストンの欠点は、冷却オイルの熱容量が小さいために冷却性能が弱くなることである。
【０００６】
したがって、本発明の目的は、一般的なタイプの内燃エンジンに対して、特に従来技術から知られている欠点を克服することのできる改善されたまたは少なくとも従来のものに代わる実施形態を提示することである。
【課題を解決するための手段】
【０００７】
本発明によると、この目的は、独立請求項１の主題によって達成される。従属請求項は、有利な実施形態に関する。
【０００８】
本発明は、内燃エンジンのピストンを必要に応じて冷却することを可能とすること、つまり生じる負荷に応じてピストンをより強くまたはより弱く冷却することを可能とすることによって、内燃エンジンの出力を増大させるという基本思想に基づく。ここで、本発明に係る内燃エンジンは、ピストンヘッドの領域に全周の少なくとも一部を延びるクーリングチャンネルが形成された少なくとも１つのピストンを備える。当該クーリングチャンネルは、少なくとも１つの入口開口および少なくとも１つの出口開口を有しており、内燃エンジンのクランクケースの領域には、クーリングチャンネルの対応する入口開口に冷却オイルを噴射するための第１噴射ノズルが設けられている。内燃エンジンのピストンは、対応する入口開口に設けられ、第１噴射ノズルからの冷却オイルジェットを集めてクーリングチャンネル内に導入するための少なくとも１つのじょうご状要素を有する。本発明によると、クランクケースに、第１噴射ノズルと同じじょうご状要素に向けられた少なくとも１つの第２噴射ノズルが設けられる。ここで、じょうご状要素は、本発明によると、少なくとも対応する第１および第２噴射ノズルからの冷却オイルジェットを集めてクーリングチャンネル内に導入することができるように構成される。したがって、本発明に係る内燃エンジンによると、クランクケース内の複数の噴射ノズルによる冷却オイルを対応するピストンに作用させることが初めて可能になる。そして、それにより、特に第２または追加噴射ノズルを接続することで、対応するピストンのクーリングチャンネルに第２または追加冷却オイルジェットを供給することによって、より強力にピストンを冷却することができる。そのため、例えば、第２または追加噴射ノズルは、内燃エンジンの全負荷運転時に接続されてもよく、それによりピストンのクーリングチャンネルにより多くの冷却オイルが供給されて当該ピストンが良好に冷却され得る。また、部分負荷運転時には、第２噴射ノズルを介した第２冷却オイルジェットが遮断されてもよい。したがって、比較的小さな冷却力が必要とされる部分負荷運転時には、対応するピストンのクーリングチャンネルへの冷却オイルの噴射量が少なくなり、当該ピストンの冷却が比較的弱くなる。一方、ピストンの強力な冷却が必要とされる全負荷運転時には、ピストンは、第２噴射ノズルの冷却オイルジェットによってさらに冷却され得る。以上のように、ピストンは必要に応じて冷却され得る。したがって、本発明に係る内燃エンジンによると、改善されかつ必要に応じた、よって出力に応じた冷却、特に内燃エンジンの高出力化を可能とする冷却を実現することができる。純粋に理論的には、部分負荷運転時に両噴射ノズルからの冷却オイルをクーリングチャンネルに作用させることも当然に考えられ、ここで当該２つの冷却オイルジェットは、内燃エンジンの全負荷運転時における冷却オイルジェットのジェット出力またはジェット量の一部のみを有する。そして、内燃エンジンのピストンは、全負荷運転時にも両噴射ノズルからの冷却オイルの作用を受けるが、全負荷運転時における第１および第２噴射ノズルの各冷却オイルジェットは部分負荷運転時におけるそれよりも多量または強力である。また、少なくとも１つの第２噴射ノズルを設けることによると、例えば、第１噴射ノズルを従来よりも小さくすること、およびそれにより例えば大きな噴射ノズルのためにクランクケース内でこれまでアクセス不能であった箇所に当該ノズルを設けることが可能となり、それにより従来はアクセス不能であった構造的空間をより小さな噴射ノズルを配置するために利用することができる。
【０００９】
本発明に係る解決策の有利な実施形態では、第１および第２噴射ノズルは、それぞれの冷却オイルジェットが、対応するじょうご状要素に互いに異なるピストン半径において達するように構成されている。したがって、この場合、じょうご状要素は、２つの対応する噴射ノズルからの冷却オイルジェットを互いに異なるピストン半径において集められるように構成され、それにより当該２つの噴射ノズルは、２つの冷却オイルジェットが互いに平行であるときには互いに異なるピストン半径に設けられてもよく、または２つの冷却オイルジェットが互いに斜めに延びるときにはクランクケース内の全く異なる箇所に設けられてもよい。ここで、第１噴射ノズルは、その第１冷却オイルジェットが、クーリングチャンネルの実質的に径方向中央部において当該クーリングチャンネルに達するように向けられている。第２噴射ノズルからの第２冷却オイルジェットは、クーリングチャンネルの径方向範囲内には実際には達しないが、じょうご状要素によって集められて当該クーリングチャンネル内に導かれる。
【００１０】
有利には、クーリングチャンネルは、以下から知られる態様で、クーリングチャンネルカバー、例えばクーリングチャンネルプレートによって覆われており、ここで、じょうご状要素は、当該じょうご状要素をクーリングチャンネルカバーに保持する保持部を有する。最も好ましい場合には、少なくとも１つのじょうご状要素を、例えば当該じょうご状要素の対応する保持部にクーリングチャンネルカバーを単に押し付けまたはクランプすることによって、クーリングチャンネルのクーリングチャンネルカバーに比較的シンプルに固定することが可能であり、それによりまた、比較的シンプルに、かつよって廉価にピストンを組み立てることが可能となる。
【００１１】
有利には、保持部は、クーリングチャンネルカバーを挟んでクランプするための複数のクランプフィンガを有しており、当該クランプフィンガの間でクーリングチャンネルカバーがクランプされる。そのようなクランプフィンガは、したがって、ピストンにじょうご状要素が固定された状態で互いに対してプレストレスを与えられ、よってその間にクーリングチャンネルカバーをクランプする。２つの対向する保持部がそれぞれ２つのクランプフィンガを有するように設けられることによって、ここでは当該２つの保持部が例えば互いに対して１８０°未満の角度を隔てて配置されることによって、じょうご状要素を、１つのクーリングチャンネルカバーまたは当該領域において互いに隣り合う複数のクーリングチャンネルカバーの対応する入口開口に回転しないように設けることが可能となる。対応する入口開口の領域にじょうご状要素を回転しないように設けることは、少なくとも２つの噴射ノズルの冷却オイルジェットを特に確実に集められるようにするために、およびしたがって特に効果的かつ確実なピストン冷却を実現できるようにするために特に重要である。
【００１２】
本発明に係る解決策の別の有利な実施形態では、第１および第２噴射ノズルは、第１および第２冷却オイルジェットが互いに対して斜めに延びるように向けられる。これにより、特に、クランクケース内で２つの噴射ノズルを特に自由に配置することが可能となり、そのことが特に構造的自由度の向上につながる。
【００１３】
本発明に係る解決策の有利な展開では、じょうご状要素は、非対称じょうごボウルを有する。例えば、そのような非対称じょうごボウルのようなじょうごボウルの配置は、ピストンシャフトまたはピストンスカートに対して比較的細くなるように選択されてもよく、そのことはまた、じょうご状要素の構成に関する利点や、じょうご状要素のじょうごボウルのサイズおよび捕集範囲に関する利点をもたらす。
【００１４】
本発明に係る解決策の別の有利な実施形態では、内燃エンジンは、それぞれにじょうご状要素が設けられた２つの入口開口を有する少なくとも１つのピストンを備えており、ここで、クランクケース内の当該ピストンの領域には、対応する入口開口内に冷却オイルを噴射するための少なくとも４つの噴射ノズルが設けられており、そのうち２つの噴射ノズルは一方の入口開口に向けられ、他の２つの噴射ノズルは他方の入口開口に向けられる。それにより、例えば全負荷運転時に必要とされるピストンの特に効率的かつ強力な冷却を実現することができ、これにより内燃エンジンの出力を増大させることもできる。
【００１５】
本発明は、また、内燃エンジンを作動させる方法であって、部分負荷運転時には、第１噴射ノズルのみによって対応するじょうご状要素に冷却オイルジェットを噴射させる一方、全負荷運転時には、第１噴射ノズルおよび少なくとも１つの第２噴射ノズルの両方によって同じじょうご状要素に冷却オイルジェットを噴射させる方法を提示するという基本思想に基づく。それによると、したがって、特に必要に応じて内燃エンジンを冷却すること、およびしたがって内燃エンジンの出力を増大させることを可能とする作動方法を実現することができる。ここで、もちろん、内燃エンジンは、１つのシリンダのみでなく、例えば４つまたは８つのシリンダを備えていてもよく、ここで少なくとも１つの上記じょうご状要素を有するピストンは、本発明によると、これらのシリンダの少なくとも１つに設けられ、また内燃エンジンのクランクケースは、少なくとも１つのピストンの領域に、好ましくは複数または全てのピストンの領域に、共通のじょうご状要素に向けられた少なくとも２つの噴射ノズルを有しており、それにより特に必要に応じて当該ピストンを冷却することが可能となる。ここで、特に有利には、例えば第２噴射ノズルは、そのような態様で向けられかつ接続されまたは作動されている場合に、特定の領域、例えばピストンの上死点または下死点においてのみ当該ピストンのクーリングチャンネル内に冷却オイルを噴射し、それにより位置および回転角度の両方に応じてピストンを冷却するように構成されている。
【００１６】
本発明の他の重要な特徴および利点は、従属請求項から、図面から、および図面を参照した対応する図の説明から明らかになるだろう。
【００１７】
上述したまたは後述する特徴は、それぞれに示す組合せにおいてのみでなく、本発明の範囲を逸脱することなく、他の組合せにおいてまたは単独でも利用可能であることを理解されたい。
【図面の簡単な説明】
【００１８】
【図１】図１は、シリンダの領域における本発明に係る内燃エンジンの図２のＺ−Ｚ線における断面図である。
【図２】図２は、図１のピストンの底面図である。
【図３】図３は、本発明に係るじょうご状要素を示す図である。
【発明を実施するための形態】
【００１９】
以下、本発明の実施形態を図面に基づいて詳細に説明する。以下の好ましい実施形態の説明は、本質的に例示に過ぎず、本発明、その適用物、あるいはその用途を制限することを意図するものでは全くない。また、同一の参照符号は、同一のもしくは類似のまたは機能的に同一の構成要素を示す。
【００２０】
図１に示すように、詳しくは図示しない自動車２の本発明に係る内燃エンジン１は、ピストン３を備える。このピストン３は、ピストンヘッド４の領域に、全周の少なくとも一部を延びるクーリングチャンネル５が形成されている。クーリングチャンネル５は、その中に冷却オイル７を導入するための少なくとも１つの入口開口６、好ましくは図２に示すように２つの入口開口６，６’と、クーリングチャンネル５から冷却オイル７を排出するための図示しない少なくとも１つの出口開口とを有する。内燃エンジン１のクランクケース８の領域には、冷却オイル７を対応する入口開口６に噴射するための第１噴射ノズル９が設けられている。また、少なくとも１つの入口開口６には、第１噴射ノズル９からの冷却オイルジェット１１を集めてクーリングチャンネル５内へ導入するためのじょうご状要素１０（図２および図３も参照）が設けられている。本発明によると、クランクケース８に、第１噴射ノズル９と同じじょうご状要素１０に向けられた少なくとも１つの第２噴射ノズル１２（図１を参照）が設けられる。ここで、じょうご状要素１０は、少なくとも対応する第１および第２噴射ノズル９，１２からの冷却オイルジェット１１，１３を集めてそれらを対応するピストン３のクーリングチャンネル５内に導入できるように構成されている。
【００２１】
ここで、図２に示すように、第１および第２噴射ノズル９，１２は、それぞれの冷却オイルジェット１１，１３が互いに異なるピストン半径Ｒ1，Ｒ2において対応するじょうご状要素１０に達するように向けられている。ここで、少なくとも１つの第２噴射ノズル１２を設けることによって、内燃エンジン１の全く新しい冷却コンセプトが可能となる。とりわけ、例えば全負荷運転時には第２噴射ノズル１２を接続する一方、部分負荷運転時には第２噴射ノズル１２を遮断することで、内燃エンジン１を必要に応じて冷却することが可能となる。それにより、特に内燃エンジン１の出力容量を実質的に増大させることができる。
【００２２】
図１および図２に示すように、クーリングチャンネル５は、クーリングチャンネルカバー１４、例えばクーリングチャンネルプレートによって覆われている。じょうご状要素１０は、クランプフィンガ１６を有する保持部１５を備える。クランプフィンガ１６は、じょうご状要素１０がピストン３に適合した状態で、クーリングチャンネルカバー１４が当該クランプフィンガ１６の間にクランプされ得るように向けられかつ構成されている。もちろん、じょうご状要素１０は、溶接によって製造されて閉じたクーリングチャンネル５を有するピストン１にも適合可能である。この場合には、したがって、クーリングチャンネル５は、上側ピストン部分と下側ピストン部分とを組み立てることによって形成される。そして、じょうご状要素１０は、クーリングチャンネル５の凹部（ドリル加工、鍛造、または鋳造によって作られる）にピストン軸方向において保持されてもよい。
【００２３】
特に図２に示すように、じょうご状要素１０の２つの保持部１５は、互いに１８０°を隔てて対向して設けられてはおらず、１８０°未満の角度を隔てて設けられている。それにより、クーリングチャンネルカバー１４に対してじょうご状要素１０を所定の位置に明確に取り付けることが可能となり、そのため、当該じょうご状要素１０のじょうごボウル１７を所定の向きに固定することが可能となりまたは実現される。このことは特に、冷却オイルジェット１１，１３を高い信頼性をもって集めるために必須である。ここで、２つの噴射ノズル９，１２は、少なくとも１つの追加的な噴射ノズル、この例では第２噴射ノズル１２を設けることを純粋に例示的に説明するためのものである。したがって、さらなる噴射ノズル、例えば図示しない第３または第４噴射ノズルを設けることも当然に考えられる。
【００２４】
図１に示すように、２つの冷却オイルジェット１１，１３は、対応する噴射ノズル９，１２から互いに実質的に平行に延びている。しかしながら、もちろん、第１および第２噴射ノズル９，１２は、第１および第２冷却オイルジェット１１，１３が互いに対して斜めに延びるように向けられていてもよい。後者の例は、図１において、冷却オイルジェット１３’を伴う第２噴射ノズル１２によって表されている。
【００２５】
図１〜図３に示すように、じょうご状要素１０は、冷却オイルジェット１１，１３または図示しない追加的な冷却オイルジェットを確実に集めるための非対称じょうごボウル１７を備える。ここで、じょうご状要素１０は、金属、例えばアルミニウムから、または樹脂材料から構成されていてもよく、一方でピストン３は、例えば、鋼製ピストンとしてまたはアルミピストンとして構成されていてもよい。また、例えば図２のピストン３におけるように、ピストン３毎に２つの入口開口６，６’が設けられていてもよい。この場合、じょうご状要素１０は、各入口開口６，６’に設けられてもよく、この例では冷却オイル７を対応する入口開口６，６’内に噴射するために全部で４つの噴射ノズル９，１２が設けられる。ここで、２つの噴射ノズル９，１２は、一方の入口開口６に向けられ、残る２つの噴射ノズル９，１２は、他方の入口開口６’に向けられる。この場合、したがって、内燃エンジン１は、ピストン３毎に、全部で４つの噴射ノズル９，１２、すなわち２つの第１噴射ノズル９および２つの第２噴射ノズル１２を有する。
【００２６】
入口開口６，６’毎に少なくとも２つの噴射ノズル９，１２を設けることにより、特にピストン３を必要に応じて冷却すること、よって内燃エンジン１を必要に応じて冷却することが可能となり、それにより内燃エンジン１の冷却を改善することができると共に、内燃エンジン１の出力を増大させることができる。
【００２７】
クーリングチャンネル５内での冷却オイル７の流れを最適化するために、じょうご壁の勾配は当然に重要である。この勾配は、じょうごボウル１７の高さＨおよび／または冷却オイルジェット１１，１３の直径によって操作できるが、それらは通常予め規定される。ここで、じょうご高さＨは、自由に選択可能であるが、その軸方向の広がりにおいて下側シャフト端部１８を超えてはならない（図１を参照）。また、高さＨの変更によって、じょうご状要素１０の配置に関する自由度が向上し得る。もちろん、じょうご状要素１０がクーリングチャンネル５に係合する係合高さｈは、特に衝突する冷却オイルジェット１１，１３の方向転換、よってクーリングチャンネル５内における冷却オイル７の流れ方向が予め規定されるように、個別に設定されてもよい（図３を参照）。
【００２８】
したがって、本発明に係る内燃エンジン１および本発明に係るじょうご状要素１０によると、必要に応じて出力に対応した内燃エンジン１の冷却を実現し、それにより内燃エンジン１の出力容量を増大させることができる。
【符号の説明】
【００２９】
１    内燃エンジン
３    ピストン
４    ピストンヘッド
５    クーリングチャンネル
６    入口開口
６’  入口開口
７    冷却オイル
８    クランクケース
９    第１噴射ノズル
１０    じょうご状要素
１１    冷却オイルジェット
１２    第２噴射ノズル
１３    冷却オイルジェット
１４    クーリングチャンネルカバー
１５    保持部
１６    クランプフィンガ
１７    非対称じょうごボウル
Ｒ1   ピストン半径
Ｒ2   ピストン半径
【図１】
2018071546.tif 000003
【図２】
2018071546.tif 000004
【図３】
2018071546.tif 000005